(57)【要約】  本発明に係る回路モジュール（１）は、内層グランド電極（１３１）及び当該内層グランド電極（１３１）から引き出された引出電極（１３２）を内層に有する多層基板（１０）と、多層基板（１０）に実装された実装部品（２１〜２３）と、実装部品（２１〜２３）を覆う樹脂（３０）と、樹脂（３０）及び多層基板（１０）の側面の少なくとも一部を覆うシールド電極（４０）とを備え、引出電極（１３２）は、多層基板（１０）内で内層グランド電極（１３１）と電気的に接続され、かつ、多層基板（１０）の積層方向に見て少なくとも一部が内層グランド電極（１３１）に重なるように配置され、端部が多層基板（１０）の側面から露出してシールド電極（４０）に接続されており、内層グランド電極（１３１）は、端部が多層基板（１０）の側面から露出してシールド電極（４０）に接続されている。
2017170535.tif 000002
【特許請求の範囲】
【請求項１】
内層グランド電極及び当該内層グランド電極から引き出された引出電極を有する多層基板と、
前記多層基板に実装された実装部品と、
前記実装部品を覆う樹脂と、
前記樹脂、及び前記多層基板の側面の少なくとも一部を覆うシールド電極とを備え、
前記引出電極は、
前記多層基板内で前記内層グランド電極と電気的に接続され、かつ、前記多層基板の積層方向に見て少なくとも一部が前記内層グランド電極に重なるように配置され、
端部が前記多層基板の側面から露出して前記シールド電極に接続されており、
前記内層グランド電極は、端部が前記多層基板の側面から露出して前記シールド電極に接続されている、
回路モジュール。
【請求項２】
前記多層基板は、前記実装部品とともに所定の回路を構成する１以上のパターン配線を内層に有し、
前記引出電極の端部は、前記積層方向に見て、前記パターン配線の密度が他よりも低い部分に近接する前記多層基板の辺において、前記シールド電極に接続されている、
請求項１に記載の回路モジュール。
【請求項３】
前記引出電極は、前記内層グランド電極上に直接配置されている、
請求項１または２に記載の回路モジュール。
【請求項４】
前記多層基板の同一の層に、複数の前記引出電極が配置されている、
請求項１〜３のいずれか１項に記載の回路モジュール。
【請求項５】
前記引出電極は、
前記内層グランド電極よりも上側に配置された上側引出電極と、
前記内層グランド電極よりも下側に配置された下側引出電極とを含む、
請求項１〜３のいずれか１項に記載の回路モジュール。
【請求項６】
前記上側引出電極と前記下側引出電極とは、前記積層方向に見て、前記多層基板の辺に沿って交互に配置される、
請求項５に記載の回路モジュール。
【請求項７】
前記多層基板は、さらに、前記積層方向に見て前記引出電極と重ならない位置に配置されたダミー電極を有する、
請求項１〜６のいずれか１項に記載の回路モジュール。
【請求項８】
前記多層基板は、さらに、前記積層方向に見て前記引出電極と重ならない位置に配置されたＢＡＳペースト層を有する、
請求項１〜７のいずれか１項に記載の回路モジュール。
【請求項９】
前記内層グランド電極は、前記積層方向に見て、前記多層基板の略全体に配置されている、
請求項１〜８のいずれか１項に記載の回路モジュール。
【請求項１０】
前記引出電極は、前記積層方向に見て、前記多層基板の端部のみに配置されている、
請求項１〜９のいずれか１項に記載の回路モジュール。
【発明の詳細な説明】
【技術分野】
【０００１】
本発明は、回路モジュールに関する。
【背景技術】
【０００２】
回路モジュールとして、多層基板表面に複数の部品を実装し、その部品を樹脂で被覆し、樹脂の表面にシールド層を形成する構成が知られている（例えば、特許文献１参照）。この構成によれば、シールド層は、多層基板の表面または側面において多層基板内部のグランド電極と接続される。
【先行技術文献】
【特許文献】
【０００３】
【特許文献１】特開２００４−１７２１７６号公報
【発明の概要】
【発明が解決しようとする課題】
【０００４】
しかしながら、多層基板は複数の絶縁体層を積層及び圧着することにより形成されており、その絶縁体層上にはそれぞれパターン配線が形成されている。パターン配線の密度は絶縁体層ごとに相違しており、基板焼成時の絶縁体層とパターン配線との収縮挙動が異なるため、多層基板に反りやうねりが発生する場合がある。【０００５】
このような反りやうねりが発生すると、多層基板の内層グランド電極とシールド電極とが多層基板の側面で接続される構成では、内層グランド電極に対するシールド電極の接触面積が低下して、シールド電極と内層グランド電極との接続信頼性が低下する場合がある。このとき、シールド電極のシールド機能が低下し、所望のモジュール特性が得られないという問題がある。【０００６】
なお、接続信頼性とは任意の２つの電極等の機械的及び電気的な接続信頼性を意味し、以下では、特に電気的な接続信頼性として説明する。つまり、シールド電極と内層グランド電極との接続信頼性を高めるとは、シールド電極と内層グランド電極との間の抵抗を低抵抗化することを意味する。【０００７】
そこで、本発明は、シールド電極と内層グランド電極との接続信頼性を高めることができる回路モジュールを提供することを目的とする。
【課題を解決するための手段】
【０００８】
上記目的を達成するために、本発明の一態様に係る回路モジュールは、内層グランド電極及び当該内層グランド電極から引き出された引出電極を有する多層基板と、前記多層基板に実装された実装部品と、前記実装部品を覆う樹脂と、前記樹脂、及び前記多層基板の側面の少なくとも一部を覆うシールド電極とを備え、前記引出電極は、前記多層基板内で前記内層グランド電極と電気的に接続され、かつ、前記多層基板の積層方向に見て少なくとも一部が前記内層グランド電極に重なるように配置され、端部が前記多層基板の側面から露出して前記シールド電極に接続されており、前記内層グランド電極は、端部が前記多層基板の側面から露出して前記シールド電極に接続されている。【０００９】
このように、内層グランド電極及び引出電極それぞれの端部が多層基板の側面から露出してシールド電極に接続されていることにより、シールド電極と内層グランド電極との接続信頼性を高めることができる。【００１０】
また、前記多層基板は、前記実装部品とともに所定の回路を構成する１以上のパターン配線を内層に有し、前記引出電極の端部は、前記積層方向に見て、前記パターン配線の密度が他よりも低い部分に近接する前記多層基板の辺において、前記シールド電極に接続されていることにしてもよい。【００１１】
ここで、パターン配線の密度が他よりも低い部分に近接する多層基板の辺では、特に反り及びうねりが発生しやすい。そこで、このような辺において引出電極の端部がシールド電極に接続されることにより、当該辺の近傍に引出電極が配置されることになり、反り及びうねりが発生しやすい多層基板の側方端部におけるこれらの発生を抑制することができる。具体的には、引出電極を配置することにより、多層基板におけるパターン電極密度の偏りを低減して均一化させることができるため、多層基板の反り及びうねりを抑制することができる。つまり、多層基板の反り及びうねりが発生しやすい部分において、これらの発生を効果的に抑制することができる。【００１２】
また、前記引出電極は、前記内層グランド電極上に直接配置されていることにしてもよい。【００１３】
これにより、内層グランド電極と引出電極とがビア等を介して接続される場合に比べて、内層グランド電極と引出電極との間の寄生インダクタンスを低減することができる。よって、引出電極を電気的に強固なグランドとすることができるため、シールド電極によるシールド機能を一層高めることができる。【００１４】
また、前記多層基板の同一の層に、複数の前記引出電極が配置されていることにしてもよい。【００１５】
このように、多層基板の同一の層に複数の引出電極が配置されていることにより、シールド電極と引出電極との接触面積を大きく確保することができる。よって、シールド電極と内層グランド電極との接続信頼性を一層高めることができる。【００１６】
また、前記引出電極は、前記内層グランド電極よりも上側に配置された上側引出電極と、前記内層グランド電極よりも下側に配置された下側引出電極とを含むことにしてもよい。【００１７】
このように引出電極として複数層に配置された電極（上側引出電極及び下側引出電極）を配置することにより、反り及びうねりが発生しやすい多層基板の側方端部において、これらの発生を一層抑制することができる。このため、シールド電極と内層グランド電極との接続信頼性を一層高めることができる。また、内層グランド電極の上側及び下側のそれぞれに引出電極（上側引出電極または下側引出電極）が配置されていることにより、多層基板の反り及びうねりの態様によらず、シールド電極と内層グランド電極との接続信頼性を高めることができる。【００１８】
また、前記上側引出電極と前記下側引出電極とは、前記積層方向に見て、前記多層基板の辺に沿って交互に配置されることにしてもよい。【００１９】
これにより、積層方向における引出電極の厚みを均一化することができる。よって、多層基板の反り及びうねりを一層抑制することができる。【００２０】
また、前記多層基板は、さらに、前記積層方向に見て前記引出電極と重ならない位置に配置されたダミー電極を有することにしてもよい。【００２１】
このようなダミー電極を有することにより、多層基板における導体の分布のバラつきを一層低減して均一化させることができる。よって、多層基板の反り及びうねりを一層抑制することができる。【００２２】
また、前記多層基板は、さらに、前記積層方向に見て前記引出電極と重ならない位置に配置されたＢＡＳペースト層を有することにしてもよい。【００２３】
このようなＢＡＳペースト層を有することにより、多層基板の厚みを均一化させて反り及びうねりを一層抑制することができる。【００２４】
また、前記内層グランド電極は、前記積層方向に見て、前記多層基板の略全体に配置されていることにしてもよい。【００２５】
これにより、少なくとも一部が内層グランド電極と重なるように配置される引出電極のレイアウト自由度を高めることができる。【００２６】
また、前記引出電極は、前記積層方向に見て、前記多層基板の端部のみに配置されていることにしてもよい。【００２７】
これにより、多層基板全体の厚みの増加を抑制しつつ、多層基板の反り及びうねりを抑制することができる。
【発明の効果】
【００２８】
本発明により、内層グランド電極とシールド電極との接続信頼性を高めることができる回路モジュールが提供される。
【図面の簡単な説明】
【００２９】
【図１】図１は、実施の形態１に係る回路モジュールの斜視図である。
【図２】図２は、実施の形態１に係る回路モジュールの断面図である。
【図３】図３は、実施の形態１に係る回路モジュールにおける引出電極の配置を示すレイアウト図である。
【図４】図４は、実施の形態１の変形例１に係る回路モジュールの断面図である。
【図５】図５は、実施の形態１の変形例２に係る回路モジュールにおける引出電極の配置を示すレイアウト図である。
【図６】図６は、実施の形態１の変形例３に係る回路モジュールの断面図である。
【図７】図７は、実施の形態２に係る回路モジュールの断面図である。
【図８】図８は、実施の形態２に係る回路モジュールにおける上側引出電極及び下側引出電極の配置を示すレイアウト図である。
【発明を実施するための形態】
【００３０】
以下、図面を参照しながら、本発明の実施の形態に係る回路モジュールについて説明する。なお、以下で説明する実施の形態は、いずれも本発明の好ましい一具体例を示すものである。以下の実施の形態で示される数値、形状、材料、構成要素の配置位置及び接続形態、製造プロセス、及び、製造プロセスの順序などは、一例であり、本発明を限定する主旨ではない。また、以下の実施の形態における構成要素のうち、最上位概念を示す独立請求項に記載されていない構成要素については、任意の構成要素として説明される。
【００３１】
なお、各図は、模式図であり、必ずしも厳密に図示されたものではない。また、各図において、実質的に同一の構成に対しては同一の符号を付しており、重複する説明は省略または簡略化する場合がある。また、以下の実施の形態に示す断面図では、簡明のため、厳密には別断面にある構成要素を同一図面内に示して説明している場合がある。
【００３２】
（実施の形態１）
図１は、実施の形態１に係る回路モジュール１の斜視図である。
【００３３】
同図では、回路モジュール１の厚さ方向（すなわち多層基板１０の積層方向）をＺ軸方向、Ｚ軸方向に垂直かつ互いに直交する方向をそれぞれＸ軸方向及びＹ軸方向として説明し、Ｚ軸方向プラス側を回路モジュール１の天面（上面）側として説明する。しかし、実際の使用態様においては、回路モジュール１の厚さ方向が上下方向とはならない場合もある。このため、実際の使用態様においては、回路モジュール１の天面側は上面側には限定されない。また、以下では、多層基板１０の積層方向に見る（Ｚ軸と平行に見る）ことを、単に積層方向に見る、として説明する。
【００３４】
回路モジュール１は、例えばフロントエンド回路等の所定の回路を構成するモジュール部品である。図１に示すように、回路モジュール１は、多層基板１０と、多層基板１０に実装された実装部品２１〜２３と、実装部品２１〜２３を覆う樹脂３０と、樹脂３０及び多層基板１０の側面の少なくとも一部を覆うシールド電極４０とを備える。
【００３５】
以下、回路モジュール１の各構成要素について、図２を用いて詳細に説明する。
【００３６】
図２は、実施の形態１に係る回路モジュール１の断面図である。具体的には、同図は、図１のII−II線における断面図である。
【００３７】
多層基板１０は、基材層１１１〜１１８からなる積層素体１１と、基材層１１１〜１１８に配置された各種導体とを有する。各種導体には、基材層１１１〜１１８の主面に沿って（ＸＹ平面に沿って）形成された導体であるパターン配線１２１と、基材層１１１〜１１８を厚み方向（Ｚ軸方向）に貫通して形成された導体であるビア１２２とが含まれる。
【００３８】
また、多層基板１０の内層（すなわち積層素体１１の内層）には、さらに、内層グランド電極１３１及び当該内層グランド電極１３１から引き出された引出電極１３２が配置される。これら内層グランド電極１３１及び引出電極１３２の詳細については、後述する。ここで、多層基板１０の内層に配置されるとは、上下方向が基材層で挟まれることにより、多層基板１０の上面または下面に露出していないことを意味する。
【００３９】
また、多層基板１０の上面には、実装部品２１〜２３を実装するための表面電極１４１が配置されており、多層基板１０の下面には、回路モジュール１を例えばマザーボードに実装するための表面電極１４２が配置されている。
【００４０】
また、本実施の形態では、多層基板１０の内層には、さらにダミー電極１５１が配置されている。例えば、ダミー電極１５１は、他の電極等と接続されない独立した電極である、または、内層グランド電極１３１のみと接続される電極である。つまり、ダミー電極１５１は、回路モジュール１によって構成される所定の回路の回路構成を変えることない電極である。本実施の形態では、ダミー電極１５１は、内層グランド電極１３１上に直接配置されている。ダミー電極１５１の詳細については、内層グランド電極１３１及び引出電極１３２の詳細と併せて、後述する。
【００４１】
このような多層基板１０の材質は特に限定されないが、例えば、基材層１１１〜１１８として、ＬＴＣＣ（Low Temperature Co-fired Ceramics）等のセラミックまたはポリイミド等の樹脂が用いられ得る。また、例えば、導体（パターン配線１２１、ビア１２２、内層グランド電極１３１、引出電極１３２、表面電極１４１及び１４２、ならびに、ダミー電極１５１）としては、例えば、銀または銅等が用いられ得る。
【００４２】
また、多層基板１０を形成する方法は特に限定されないが、例えば、基材層１１１〜１１８としてＬＴＣＣを用いる場合、上記導体を形成するための銀または銅の導電性ペーストをセラミックグリーンシートにスクリーン印刷し、同時焼成することにより形成され得る。
【００４３】
実装部品２１〜２３は、多層基板に配置された各種導体とともに所定の回路を構成する部品であり、例えば、スイッチＩＣ（Integrated Circuit）、フィルタ、デュプレクサ、発振器、チップコンデンサまたはチップインダクタ等である。なお、実装部品２１〜２３は、ＬＧＡ（Land Grid Array）型またはＢＧＡ（Ball Grid Array）型の部品に限らず、ワイヤーボンディング実装の部品であってもかまわない。
【００４４】
樹脂３０は、実装部品２１〜２３を覆って封止する封止部材であり、本実施の形態では、実装部品２１〜２３を覆うように多層基板１０の上面全体に配置されている。なお、樹脂３０は、多層基板１０の上面の一部を覆っていなくてもかまわない。
【００４５】
このような樹脂３０の材質は特に限定されないが、例えば、エポキシ系の樹脂が用いられ得る。また、樹脂３０を形成する方法は特に限定されないが、例えば、液状樹脂を用いて樹脂３０を形成する場合、多層基板１０の上面に実装部品２１〜２３を覆うようにディスペンサ等で液状樹脂を塗布し、その後、加熱して硬化させることにより樹脂３０を形成することができる。また、固形樹脂を用いて樹脂３０を形成する場合、多層基板１０の上面上に固形樹脂を所定量配置し、次いで加熱して溶融させ、その後、硬化させることにより樹脂３０を形成することができる。
【００４６】
シールド電極４０は、樹脂３０、及び多層基板１０の側面の少なくとも一部を覆い、本実施の形態では、樹脂３０の外面及び多層基板１０の側面の略全体を覆うように配置されている。具体的には、シールド電極４０は、樹脂３０の上面及び側面、ならびに、多層基板１０の基材層１１１〜１１７の側面を覆うように配置されている。このシールド電極４０は、多層基板１０の側面で少なくとも引出電極１３２に接続されている。このため、回路モジュール１から外部への不要輻射の放射を抑制するシールド機能を有する。具体的には、シールド電極４０は、本実施の形態では、多層基板１０の全ての側面で内層グランド電極１３１及び引出電極１３２に接続されている。
【００４７】
このようなシールド電極４０の材質は特に限定されないが、例えば、銀等が用いられ得る。また、シールド電極４０を形成する方法は特に限定されないが、例えば、次のように形成することができる。具体的には、実装部品２１〜２３が実装された多層基板１０及び樹脂３０の集合体をハーフカット（基材層１１８を残して基材層１１１〜１１７をカット）することにより、多層基板１０の側面に内層グランド電極１３１及び引出電極１３２を露出させる。次いで、多層基板１０の側面及び樹脂３０に対して、銀等の導電性ペーストを塗布する、あるいは、スパッタまたは蒸着等の方法により、多層基板１０の側面で内層グランド電極１３１及び引出電極１３２と導通接続されるシールド電極４０を形成することができる。
【００４８】
なお、上記集合体をカットする工程では、実装部品２１〜２３が実装された多層基板１０及び樹脂３０の集合体を全カット（基材層１１１〜１１８の全てをカット）してもかまわない。つまり、シールド電極４０は、多層基板１０の基材層１１１〜１１８の側面を覆うように配置されていてもかまわない。
【００４９】
次に、内層グランド電極１３１及び引出電極１３２の詳細について、ダミー電極１５１の詳細と併せて、説明する。
【００５０】
内層グランド電極１３１は、多層基板１０の内層に配置されたグランド電極であり、本実施の形態では、積層方向に見て、多層基板１０の略全体に配置されている、いわゆるベタパターン電極である。なお、略全体とは、完全に全体であることを意味するだけでなく、実質的に全体であることも意味する。すなわち、内層グランド電極１３１は、例えば、上記の積層方向と直交する面内方向において、グランド電位と異なるビア１２２を避けるように局所的に配置されていない部分があってもかまわない。
【００５１】
本実施の形態では、内層グランド電極１３１は、端部が多層基板１０の側面から露出してシールド電極４０に接続されている。つまり、内層グランド電極１３１とシールド電極４０とは、互いに導通接続されている。具体的には、内層グランド電極１３１は、積層方向に見て周方向の端部全て（すなわち４辺全て）が多層基板１０の側面から露出する。
【００５２】
なお、内層グランド電極１３１は、積層方向に見て周方向の端部全てが露出していなくてもよく、例えば、積層方向に見て、多層基板１０の対向する２辺において端部が露出していてもよいし、隣り合う２つの辺において端部が露出していてもよい。つまり、内層グランド電極１３１は、ベタパターン電極に限らず、多層基板１０の互いに異なる２つの側面の間に亘って配置された電極であってもかまわない。
【００５３】
引出電極１３２は、内層グランド電極１３１から引き出されたグランド電極であり、多層基板１０の内層に配置されている。また、引出電極１３２は、多層基板１０内で内層グランド電極１３１と電気的に接続され、かつ、多層基板１０の積層方向に見て少なくとも一部が内層グランド電極１３１に重なるように配置されている。本実施の形態では、内層グランド電極１３１がベタパターン電極であることから、引出電極１３２は、積層方向に見て全体が内層グランド電極１３１に重なるように配置されている。
【００５４】
また、引出電極１３２は、端部が多層基板１０の側面から露出してシールド電極４０に接続されている。すなわち、引出電極１３２は、内層グランド電極１３１から多層基板１０の側面に引き出された電極である。
【００５５】
また、本実施の形態では、引出電極１３２は、内層グランド電極１３１上に直接配置されている。すなわち、引出電極１３２は、ビア１２２を介すことなく、内層グランド電極１３１と導通接続されている。具体的には、引出電極１３２は、内層グランド電極１３１よりも上側（Ｚ軸方向プラス側）に配置されており、内層グランド電極１３１上（この場合は内層グランド電極１３１の上面）に直接配置されている。
【００５６】
また、本実施の形態では、多層基板１０の同一の層に、複数の引出電極１３２が配置されている。具体的には、図２に示すように、多層基板１０の基材層１１７と基材層１１８との間に複数の引出電極１３２が配置されている。
【００５７】
図３は、実施の形態１に係る回路モジュール１における引出電極１３２の配置を示すレイアウト図である。なお、同図には、ダミー電極１５１の配置についても併せて示されている。また、同図では、簡明のため、引出電極１３２及びダミー電極１５１についてハッチングを施している。これらの事項については、以降のレイアウト図でも同様である。
【００５８】
同図に示す領域Ａは、パターン配線１２１の密度が比較的高い部分を示す。つまり、積層方向に見て、多層基板１０のうち領域Ａを除く領域は、パターン配線１２１の密度が領域Ａよりも低い部分である。
【００５９】
領域Ａは、例えば、多層基板１０におけるパターン配線１２１の分布状況から決定され得る領域であり、多層基板１０の厚みに対するパターン配線１２１の厚みの割合が所定値（例えば平均）以上の領域である。なお、領域Ａは、例えば、多層基板１０の設計事項等によって適宜決定され得る領域であってもよく、多層基板１０に要求される回路特性及び強度等によって制約されるパターン配線１２１を配置可能な領域であってもよい。
【００６０】
図３に示すように、本実施の形態では、引出電極１３２は、積層方向に見て、多層基板１０の端部のみに配置されている。また、引出電極１３２の端部は、積層方向に見て、パターン配線１２１の密度が他よりも低い部分（すなわち領域Ａを除く領域）に近接する多層基板１０の辺において、シールド電極４０に接続されている。具体的には、図３に示すように、領域Ａが多層基板１０の中央部に位置することから、多層基板１０の周縁端部ではパターン配線１２１の密度が低くなっている。このため、引出電極１３２の端部は、当該周縁部に近接する辺（ここでは４つの辺）において、シールド電極４０に接続されている。
【００６１】
なお、引出電極１３２は、パターン配線１２１の密度が低い部分に近接する多層基板１０の辺において、シールド電極４０に接続されていればよく、少なくとも一部がパターン配線１２１の密度が高い部分（つまり図３の領域Ａ）に配置されていてもかまわない。また、パターン配線１２１の密度が低い部分に近接する辺とは、当該密度が低い部分に最も近い辺を意味し、特に当該密度が低い部分に沿う辺を意味する。
【００６２】
本実施の形態では、引出電極１３２は、積層方向に見て、多層基板１０の辺に沿って例えば等間隔に複数配置される。なお、引出電極１３２を配置する間隔は特に限定されず、多層基板１０の反り及びうねりを抑制する観点から適宜決定されればよい。また、引出電極１３２の配置間隔は等間隔に限らず、例えば、パターン配線１２１の密度が低い部分ほど間隔が狭くなってもかまわない。
【００６３】
また、ダミー電極１５１は、積層方向に見て、引出電極１３２と重ならない位置に配置される。ダミー電極１５１の配置位置は、このように引出電極１３２と重ならない位置であれば特に限定されないが、多層基板１０の反り及びうねりを抑制する観点からは、積層方向に見て、パターン配線１２１の密度が低い部分に配置されることが好ましい。例えば、ダミー電極１５１は、領域Ａのうちパターン配線１２１の密度が比較的低い部分に配置されていることが好ましい。
【００６４】
以上のように構成された本実施の形態に係る回路モジュール１によれば、引出電極１３２を備えない比較例に係る回路モジュールに比べて、シールド電極４０と内層グランド電極１３１との接続信頼性を高めることができる。
【００６５】
具体的には、比較例に係る回路モジュールでは、基材層を形成する樹脂またはセラミックと、パターン配線等の導体を形成する銀または銅との熱収縮率が異なるため、多層基板を加熱する工程で多層基板に反り及びうねりが発生する場合がある。このような反りやうねりが発生した多層基板に対して多層基板の側面で内層グランド電極に接続されるシールド電極を配置すると、シールド電極と内層グランド電極との接続不良が生じやすくなり、これらの接続信頼性が低下するという問題がある。
【００６６】
これに対して、本実施の形態に係る回路モジュール１によれば、内層グランド電極１３１及び引出電極１３２それぞれの端部が多層基板１０の側面から露出してシールド電極４０に接続されている。
【００６７】
これにより、シールド電極４０と内層グランド電極１３１との接続信頼性を高めることができる。
【００６８】
また、本実施の形態に係る回路モジュール１によれば、引出電極１３２の端部は、積層方向に見て、パターン配線１２１の密度が他よりも低い部分に近接する多層基板１０の辺でシールド電極４０に接続されている。
【００６９】
ここで、パターン配線１２１の密度が他よりも低い部分に近接する多層基板１０の辺では、上述した熱収縮率の差により、特に反り及びうねりが発生しやすい。そこで、このような辺において引出電極１３２の端部がシールド電極４０に接続されることにより、当該辺の近傍に引出電極１３２が配置されることになり、反り及びうねりが発生しやすい多層基板１０の側方端部におけるこれらの発生を抑制することができる。具体的には、引出電極１３２を配置することにより、多層基板１０におけるパターン電極密度の偏りを低減して均一化させることができるため、多層基板１０の反り及びうねりを抑制することができる。つまり、多層基板１０の反り及びうねりが発生しやすい部分において、これらの発生を効果的に抑制することができる。
【００７０】
また、本実施の形態に係る回路モジュール１によれば、引出電極１３２は、内層グランド電極１３１上に直接配置されている。
【００７１】
これにより、内層グランド電極１３１と引出電極１３２とがビア１２２等を介して接続される場合に比べて、内層グランド電極１３１と引出電極１３２との間の寄生インダクタンスを低減することができる。よって、引出電極１３２を電気的に強固なグランドとすることができるため、シールド電極４０によるシールド機能を一層高めることができる。
【００７２】
また、本実施の形態に係る回路モジュール１によれば、多層基板１０の同一の層に複数の引出電極１３２が配置されていることにより、シールド電極４０と引出電極１３２との接触面積の総和を大きく確保することができる。よって、シールド電極４０と内層グランド電極１３１との接続信頼性を一層高めることができる。
【００７３】
また、本実施の形態に係る回路モジュール１によれば、ダミー電極１５１を有することにより、多層基板１０における導体の分布のバラつきを一層低減して均一化させることができる。よって、多層基板１０の反り及びうねりを一層抑制することができる。
【００７４】
また、本実施の形態に係る回路モジュール１によれば、内層グランド電極１３１が積層方向に見て多層基板１０の略全体に配置されていることにより、少なくとも一部が内層グランド電極１３１と重なるように配置される引出電極１３２のレイアウト自由度を高めることができる。
【００７５】
また、本実施の形態に係る回路モジュール１によれば、引出電極１３２が積層方向に見て多層基板１０の端部のみに配置されていることにより、多層基板１０全体の厚みの増加を抑制しつつ、多層基板１０の反り及びうねりを抑制することができる。
【００７６】
（実施の形態１の変形例１）
なお、引出電極は、内層グランド電極１３１上に直接配置されていなくてもよく、例えば、ビア１２２を介して内層グランド電極１３１に接続されていてもかまわない。
【００７７】
図４は、実施の形態１の変形例１に係る回路モジュール１Ａの断面図である。同図に示す回路モジュール１Ａは、図２に示した回路モジュール１に比べて、引出電極１３２Ａがビア１２２を介して内層グランド電極１３１と接続されている点が異なる。
【００７８】
このように構成された回路モジュール１Ａであっても、上記実施の形態１と同様に、内層グランド電極１３１及び引出電極１３２Ａそれぞれの端部が多層基板１０の側面から露出してシールド電極４０に接続されていることにより、シールド電極４０と内層グランド電極１３１との接続信頼性を高めることができる。
【００７９】
（実施の形態１の変形例２）
また、上記実施の形態１では、引出電極１３２は、積層方向に見て、多層基板１０の辺に沿って等間隔に配置されるとしたが、これに限らない。
【００８０】
図５は、実施の形態１の変形例２に係る回路モジュール１Ｂにおける引出電極１３２Ｂの配置を示すレイアウト図である。同図に示す引出電極１３２Ｂは、図３に示した引出電極１３２に比べて、積層方向に見て、多層基板１０の辺に沿って延設されている。
【００８１】
このように構成された回路モジュール１Ｂであっても、上記実施の形態１と同様に、内層グランド電極１３１及び引出電極１３２Ｂそれぞれの端部が多層基板１０の側面から露出してシールド電極４０に接続されていることにより、シールド電極４０と内層グランド電極１３１との接続信頼性を高めることができる。
【００８２】
なお、本変形例では、引出電極１３２Ｂは、積層方向に見て、多層基板１０の辺ごとに独立に配置されているが、これに限らず、例えば、多層基板１０の隣り合う２つの辺で連続して配置されていてもかまわないし、多層基板１０の辺に沿って環状に延設されていてもかまわない。
【００８３】
（実施の形態１の変形例３）
また、多層基板１０の内層には、さらに、ＢＡＳペースト層が配置されていてもかまわない。
【００８４】
図６は、実施の形態１の変形例３に係る回路モジュール１Ｃの断面図である。
【００８５】
同図に示す回路モジュール１Ｃは、図２に示した回路モジュール１に比べて、さらに、多層基板１０が、積層方向に見て引出電極１３２と重ならない位置に配置されたＢＡＳペースト層１６１を有する点が異なる。
【００８６】
ＢＡＳペースト層１６１は、本実施の形態では、内層グランド電極１３１と異なる層に配置され、積層方向に見てダミー電極１５１と略同一形状かつ同一位置に配置されている、絶縁体層である。なお、ＢＡＳペースト層１６１は、積層方向に見て、引出電極１３２と重ならない位置に配置されていればよく、形状及び配置位置は特に限定されない。ただし、多層基板１０の反り及びうねりを抑制する観点からは、積層方向に見て、パターン配線１２１の密度が低い部分に配置されることが好ましい。例えば、ＢＡＳペースト層１６１は、領域Ａ（図３参照）のうちパターン配線１２１の密度が比較的低い部分に配置されていることが好ましい。
【００８７】
このようなＢＡＳペースト層１６１の材質は特に限定されないが、例えば、Ｂａ（バリウム）、Ａｌ（アルミニウム）、Ｓｉ（シリコン）を主たる成分とする誘電体材料（ＢＡＳ材）が用いられ得る。
【００８８】
このように構成された回路モジュール１Ｃであっても、上記実施の形態１と同様に、内層グランド電極１３１及び引出電極１３２それぞれの端部が多層基板１０の側面から露出してシールド電極４０に接続されていることにより、シールド電極４０と内層グランド電極１３１との接続信頼性を高めることができる。
【００８９】
また、本変形例に係る回路モジュール１Ｃによれば、多層基板１０がＢＡＳペースト層１６１を有することにより、多層基板１０全体の厚みを均一化させることができる。具体的には、多層基板１０全体の厚みは、多層基板１０における導体の分布に依存し、導体の密度が高い部分では厚くなり、低い部分では薄くなる。このような多層基板１０の厚みが薄くなる部分では、特にうねりが生じやすい。このため、導体の密度が低い部分にＢＡＳペースト層１６１を配置することにより、多層基板１０の厚みを均一化させて反り及びうねりを一層抑制することができる。
【００９０】
（実施の形態２）
上記実施の形態１及びその変形例では、引出電極は多層基板１０内の１層にのみ配置されていた。しかし、引出電極は、多層基板１０内の複数層に配置されていてもかまわない。また、上記実施の形態１及びその変形例では、多層基板１０内にダミー電極１５１が配置されるとしたが、ダミー電極１５１は配置されていなくてもかまわない。そこで、以下、このような構成を有する回路モジュールを実施の形態２として説明する。
【００９１】
図７は、実施の形態２に係る回路モジュール２の断面図である。
【００９２】
同図に示す回路モジュール２は、図４に示した回路モジュール１Ａに比べて、引出電極１３２Ａに代わり、上側引出電極２３２及び下側引出電極２３３が配置され、ダミー電極１５１が配置されていない点が異なる。なお、上側引出電極２３２は、上述した引出電極１３２Ａに相当するため、以下では下側引出電極２３３に関する事項について主に説明し、上側引出電極２３２については、適宜簡略化して説明する。
【００９３】
また、回路モジュール２は、回路モジュール１Ａに比べて、内層グランド電極１３１及び上側引出電極２３２が配置されている層が異なるが、これらの層は回路モジュール１Ａと同じ層であってもかまわない。
【００９４】
下側引出電極２３３は、内層グランド電極１３１よりも下側に配置された引出電極である。本実施の形態では、下側引出電極２３３は、ビア１２２を介して内層グランド電極１３１と接続されている。なお、下側引出電極２３３は、ビア１２２を介さずに、内層グランド電極１３１上（この場合は内層グランド電極１３１の下面、つまりＺ軸方向マイナス側）に直接配置されていてもかまわない。
【００９５】
これら上側引出電極２３２及び下側引出電極２３３は、本実施の形態では、図８に示すように配置されている。
【００９６】
図８は、実施の形態２に係る回路モジュール２における上側引出電極２３２及び下側引出電極２３３の配置を示すレイアウト図である。
【００９７】
同図に示すように、上側引出電極２３２と下側引出電極２３３とは、積層方向に見て、互いに重ならない位置に配置され、具体的には、多層基板１０の辺に沿って交互に配置されている。また、例えば、上側引出電極２３２と下側引出電極２３３とは、略同等の形状及びサイズで配置されている。なお、上側引出電極２３２と下側引出電極２３３とは、互いに異なる形状またはサイズで配置されていてもかまわない。
【００９８】
このような上側引出電極２３２及び下側引出電極２３３は、同一の材質によって形成されていてもかまわないし、互いに異なる材質によって形成されていてもかまわない。
【００９９】
以上のように構成された回路モジュール２であっても、上記実施の形態１と同様に、内層グランド電極１３１及び引出電極（本変形例では、上側引出電極２３２及び下側引出電極２３３）それぞれの端部が多層基板１０の側面から露出してシールド電極４０に接続されていることにより、シールド電極４０と内層グランド電極１３１との接続信頼性を高めることができる。
【０１００】
また、本実施の形態に係る回路モジュール２によれば、引出電極として、上側引出電極２３２及び下側引出電極２３３が配置されている。このように引出電極として複数層の電極（上側引出電極２３２及び下側引出電極２３３）を配置することにより、反り及びうねりが発生しやすい多層基板１０の側方端部において、これらの発生を一層抑制することができる。このため、シールド電極４０と内層グランド電極１３１との接続信頼性を一層高めることができる。
【０１０１】
また、内層グランド電極１３１の上側及び下側のそれぞれに引出電極（上側引出電極２３２または下側引出電極２３３）が配置されていることにより、多層基板１０の反り及びうねりの態様によらず、シールド電極４０と内層グランド電極１３１との接続信頼性を高めることができる。
【０１０２】
具体的には、多層基板１０は、多層基板１０内におけるパターン配線１２１の分布状況及び実装部品２１〜２３の配置位置等により、上に凸の形状で反る場合と下に凸の形状で反る場合とがある。これらの形状の違いにより、シールド電極４０との接触面積を確保しやすい引出電極が上側引出電極２３２と下側引出電極２３３とで入れ替わり得る。よって、上側引出電極２３２と下側引出電極２３３とを配置することにより、多層基板１０の反り及びうねりの態様によらず、シールド電極４０と内層グランド電極１３１との接続信頼性を高めることができる。
【０１０３】
また、本実施の形態に係る回路モジュール２によれば、積層方向に見て上側引出電極２３２と下側引出電極２３３とが交互に配置されることにより、積層方向における引出電極の厚みを均一化することができる。よって、多層基板１０の反り及びうねりを一層抑制することができる。
【０１０４】
（その他の実施の形態）
以上、本発明の実施の形態及びその変形例に係る回路モジュールについて説明したが、本発明は、個々の実施の形態及びその変形例には限定されない。本発明の趣旨を逸脱しない限り、当業者が思いつく各種変形を本実施の形態及びその変形例に施したものや、異なる実施の形態及びその変形例における構成要素を組み合わせて構築される形態も、本発明の一つまたは複数の態様の範囲内に含まれてもよい。
【０１０５】
例えば、上記説明では、引出電極の端部は、積層方向に見て、パターン配線１２１の密度が他よりも低い部分に近接する多層基板１０の辺において、シールド電極４０に接続されるとした。しかし、引出電極の端部は、パターン配線１２１の密度が高い部分に近接する多層基板１０の辺において、シールド電極４０に接続されてもかまわない。
【０１０６】
また、例えば、上記説明では、多層基板１０の同一の層に、複数の引出電極が配置されているとした。しかし、多層基板１０の同一の層に、１つの引出電極のみが配置されていてもかまわない。
【０１０７】
また、例えば、上記実施の形態２では、積層方向に見て、上側引出電極２３２と下側引出電極２３３とが交互に配置されるとしたが、上側引出電極２３２及び下側引出電極２３３のそれぞれが、連続して配置されてもかまわない。
【０１０８】
また、ダミー電極１５１及びＢＡＳペースト層１６１のそれぞれは、積層方向に見て、引出電極と少なくとも一部が重なる位置に配置されてもかまわない。
【０１０９】
また、例えば、多層基板１０は、一の内層グランド電極１３１と、当該一の内層グランド電極から引き出された引出電極とからなる組を複数組備えてもよい。
【０１１０】
また、例えば、引出電極は、パターン配線１２１を介さずに内層グランド電極１３１に接続されている（すなわち、内層グランド電極１３１から引き出される）ことが好ましいいが、パターン配線１２１を介して内層グランド電極１３１に接続されてもよい。
【０１１１】
また、例えば、引出電極は、積層方向に見て、多層基板１０の周縁端部の一部のみに配置されていてもよい。つまり、シールド電極４０は、多層基板１０の全ての側面のうち１つの側面のみで引出電極と接続されてもよい。
【産業上の利用可能性】
【０１１２】
本発明は、回路モジュール部品として、携帯電話などの通信機器に広く利用できる。
【符号の説明】
【０１１３】
１、１Ａ、１Ｂ、１Ｃ、２  回路モジュール
１０  多層基板
１１  積層素体
２１〜２３  実装部品
３０  樹脂
４０  シールド電極
１１１〜１１８  基材層
１２１  パターン配線
１２２  ビア
１３１  内層グランド電極
１３２、１３２Ａ、１３２Ｂ  引出電極
１４１、１４２  表面電極
１５１  ダミー電極
１６１  ＢＡＳペースト層
２３２  上側引出電極
２３３  下側引出電極
【図１】
2017170535.tif 000003
【図２】
2017170535.tif 000004
【図３】
2017170535.tif 000005
【図４】
2017170535.tif 000006
【図５】
2017170535.tif 000007
【図６】
2017170535.tif 000008
【図７】
2017170535.tif 000009
【図８】
2017170535.tif 000010
【国際調査報告】
2017170535.tif 000011
2017170535.tif 000012
2017170535.tif 000013
2017170535.tif 000014